(57)【要約】【課題】白のセグメントを含むカラーホイールを用いた場合に、ノイズによる映像劣化を抑制することができる投写型表示装置を提供する【解決手段】プロジェクタは、光源ランプ１０からの白色光を時分割で複数の色の光に分離するカラーホイール３１と、カラーホイール３１により分離された各色の光を変調するＤＭＤ７０と、外部から入力された映像信号を処理する信号処理回路１０４と、信号処理回路１０４からの信号に従ってＤＭＤ７０を駆動するＤＭＤ駆動回路１０６とを備える。ここで、カラーホイール３１は、光源ランプ１０からの白色光をそのまま透過する白セグメント３１Ｗを含む。さらに、信号処理回路１０４は、入力された映像信号により生成される映像の彩度が予め設定された閾値αを超える場合に、前記表示素子の各画素のうち白成分を表示する画素に対するＲＧＢ信号を減衰させる。【選択図】図２
2011095402.tif 000002
【特許請求の範囲】
【請求項１】
投写型表示装置において、
光源からの白色光を時分割で複数の色の光に分離するカラーホイールと、
前記カラーホイールにより分離された各色の光を変調する表示素子と、
外部から入力された映像信号を処理して前記表示素子の各画素に所定の変調動作を行わせるための制御信号を生成する信号処理部と、
前記信号処理部からの前記制御信号に従って前記表示素子を駆動する駆動部と、を備え、
前記カラーホイールは、前記光源からの白色光をそのまま透過するセグメントを含み、
前記信号処理部は、入力された映像信号により生成される映像の彩度に基づいて、前記表示素子の各画素のうち白成分を表示する画素における輝度が低減するよう前記映像信号を処理して前記制御信号を生成する、
ことを特徴とする投写型表示装置。
【請求項２】
請求項１に記載の投写型表示装置において、
前記信号処理部は、前記彩度が予め設定された閾値を超える場合に前記白成分を表示する画素に対するＲＧＢ信号を減衰させる、
ことを特徴とする投写型表示装置。
【請求項３】
請求項１または２に記載の投写型表示装置において、
前記信号処理部は、１フレーム単位で前記彩度を判定して当該フレームにおける前記白成分を表示する画素に対するＲＧＢ信号を減衰させる、
ことを特徴とする投写型表示装置。
【請求項４】
請求項３に記載の投写型表示装置において、
前記信号処理部は、前記画素毎に彩度を求め、全画素の彩度の平均または合計が予め設定された閾値を超える場合に前記白成分を表示する画素に対するＲＧＢ信号を減衰させる、
ことを特徴とする投写型表示装置。
【請求項５】
請求項１ないし４の何れか一項に記載の投写型表示装置において、
前記信号処理部は、入力された映像信号により生成される映像の彩度に基づいて、前記表示素子の各画素のうち白成分を表示する画素における輝度が増加するよう前記映像信号を処理して前記制御信号を生成する、
ことを特徴とする投写型表示装置。
【請求項６】
請求項５に記載の投写型表示装置において、
前記信号処理部は、前記彩度が予め設定された閾値より低い場合に前記白成分を表示する画素に対するＲＧＢ信号を増幅させる、
ことを特徴とする投写型表示装置。
【発明の詳細な説明】
【技術分野】
【０００１】
本発明は、光源からの光を表示素子により変調して被投写面上に拡大投写する投写型表示装置に関し、特に、光源からの光をカラーホイールによって色分離し、分離した光を表示素子によって変調する投写型表示装置に用いて好適なものである。
【背景技術】
【０００２】
従来、被投写面（スクリーン等）上に画像を拡大投写する投写型表示装置（以下、「プロジェクタ」という）の１つのタイプとして、ＤＭＤ（Digital Micro-mirror Device）等の表示素子を１つだけ用いる、いわゆる単板式のプロジェクタが知られている。
【０００３】
この種のプロジェクタでは、光源と表示素子との間にカラーホイールが配されている。カラーホイールは、たとえば、三原色（赤色、緑色、青色）の各光のみを透過するセグメント（透過領域）が回転方向に配された構成を有し、モータによって回転駆動される。光源からの光は、カラーホイールにより赤色、緑色、青色の各光に分離され、各光が時分割で表示素子に照射される。表示素子では、各光に応じた変調が行われ、変調された光が順次、被投写面に映し出される。このとき、各光の切り替えは高速で行われるため、ユーザの目には、被投写面上の各光による映像が合成されて１つの映像として映る。
【０００４】
かかるプロジェクタでは、投写される映像の輝度を高めるため、上記三原色の各セグメントの他に、光源からの白色光をそのまま透過するセグメント（白のセグメント）を加えたカラーホイールを用いることもできる（特許文献１参照）。
【先行技術文献】
【特許文献】
【０００５】
【特許文献１】特開２００６−１１３２７６号公報
【発明の概要】
【発明が解決しようとする課題】
【０００６】
しかしながら、上記のように白のセグメントを追加すると、これによるノイズが映像上で目立つようになる。その結果、映像がチカチカし、あるいは、映像上の暗い部分に白が点在する等の不具合が生じる。
【０００７】
図９（ａ）は、赤、緑、青および白の４色のカラーホイールを用いた場合のｘｙ色度と輝度との関係を示す図であり、図９（ｂ）は、赤、緑および青の３色のカラーホイールを用いた場合のｘｙ色度と輝度との関係を示す図である。
【０００８】
図示のとおり、４色のカラーホイールを用いる構成では、白成分の輝度が極端に高くなる。これは、光源からの白色光が白のセグメントを通ることによるものである。したがって、４色のカラーホイールを用いると、カラーホイールの回転に同期した周期で白の輝度が急激に高くなる。このことが、映像上で上記ノイズが目立つようになる原因と考えられる。
【０００９】
このようなノイズは、特に、彩度が高い映像、即ち色の濃く鮮やかな映像で目立ちやすい。このため、白のセグメントを加えたカラーホイールを用いると、このような映像をきれいに映し出すことができない惧れがある。
【００１０】
本発明は、かかる課題に鑑みでなされたものであり、白のセグメントを含むカラーホイールを用いた場合に、ノイズによる映像劣化を抑制することができる投写型表示装置を提供することを目的とする。
【課題を解決するための手段】
【００１１】
本発明の投写型表示装置は、光源からの白色光を時分割で複数の色の光に分離するカラーホイールと、前記カラーホイールにより分離された各色の光を変調する表示素子と、外部から入力された映像信号を処理して前記表示素子の各画素に所定の変調動作を行わせるための制御信号を生成する信号処理部と、前記信号処理部からの前記制御信号に従って前記表示素子を駆動する駆動部とを備える。ここで、前記カラーホイールは、前記光源からの白色光をそのまま透過するセグメントを含む。さらに、前記信号処理部は、入力された映像信号により生成される映像の彩度に基づいて、前記表示素子の各画素のうち白成分を表示する画素における輝度が低減するよう前記映像信号を処理して前記制御信号を生成する。
【００１２】
より具体的には、前記信号処理部は、前記彩度が予め設定された閾値を超える場合に前記白成分を表示する画素に対するＲＧＢ信号を減衰させる。
【００１３】
本発明の構成によれば、彩度の高い映像が投写される場合には、白成分を表示する画素における輝度が低減されるため、白色光をそのまま透過するセグメントにより生じるノイズを抑制することができる。よって、彩度の高い映像上に現れるノイズを抑制することができる。
【００１４】
本発明の投写型表示装置において、前記信号処理部は、１フレーム単位で前記彩度を判定して、当該フレームにおける前記白成分を表示する画素に対するＲＧＢ信号を減衰させるよう構成され得る。
【００１５】
この場合、たとえば、前記信号処理部は、前記画素毎に彩度を求め、全画素の彩度の平均または合計が予め設定された閾値を超える場合に、前記白成分を表示する画素に対するＲＧＢ信号を減衰させるような構成とされ得る。
【００１６】
このような構成とすれば、１フレーム毎に映像信号の調整が行われるため、ノイズを良好に抑制することができる。
【００１７】
本発明の投写型表示装置において、前記信号処理部は、入力された映像信号により生成される映像の彩度に基づいて、前記表示素子の各画素のうち白成分を表示する画素における輝度が増加するよう前記映像信号を処理して前記制御信号を生成するような構成とされ得る。
【００１８】
より具体的には、前記信号処理部は、前記彩度が予め設定された閾値より低い場合に前記白成分を表示する画素に対するＲＧＢ信号を増幅させる。
【００１９】
このような構成とすれば、彩度が低いためノイズが目立たない映像について、輝度を高めることができる。
【００２０】
なお、請求項１ないし６において、「白成分」とは、白のみならず、白を含む無彩色、および、本発明の課題が生じ得るような無彩色近傍の色を示す概念である。以下の実施の形態においても同様である。
【発明の効果】
【００２１】
以上のとおり本発明によれば、白のセグメントを含むカラーホイールを用いた場合に、ノイズによる映像劣化を抑制することができる投写型表示装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係るプロジェクタの構成を示す図である。
【図２】実施の形態に係るプロジェクタの回路系の構成を示す図である。
【図３】実施の形態に係るカラーホイールユニットとＤＭＤの駆動タイミングを示す図である。
【図４】実施の形態に係る映像信号処理回路による信号処理のフローチャートである。
【図５】図４の信号処理に用いられる閾値α、βについて説明するための図である。
【図６】図４の信号処理について具体的に説明するための図である。
【図７】変更例１に係る映像信号処理回路による信号処理のフローチャートである。
【図８】変更例２に係る映像信号処理回路による信号処理のフローチャートである。
【図９】赤、緑、青および白の４色のカラーホイールを用いた場合と赤、緑および青の３色のカラーホイールを用いた場合のｘｙ色度と輝度との関係を示す図である。
【発明を実施するための形態】
【００２４】
以下、本発明の実施の形態につき図面を参照して説明する。
【００２５】
図１は、本実施の形態に係るプロジェクタの構成を示す図である。図１（ａ）は光学系の構成を示し、図１（ｂ）はカラーホイールユニット３０の構成を示す。
【００２６】
図１（ａ）に示すように、プロジェクタは、光源ランプ１０と、ＵＶフィルタ２０と、カラーホイールユニット３０と、ロッドインテグレータ４０と、リレー光学系５０と、ＴＩＲ（Total Internal Reflection）プリズム６０と、ＤＭＤ７０と、投写光学系８０と、冷却装置９０とを備えている。
【００２７】
光源ランプ１０は、発光管１０ａと、リフレクタ１０ｂとを有する。発光管１０ａには、メタルハライドランプ、超高圧水銀ランプ、キセノンランプ等が用いられる。リフレクタ１０ｂは、楕円面状あるいは放物面状に形成されている。ランプ１０ａから発せられた白色光は、リフレクタ１０ｂによって反射され、収束しつつ前方へ向かう。
【００２８】
光源ランプ１０から出射された白色光は、ＵＶフィルタ２０およびカラーホイールユニット３０を透過して、ロッドインテグレータ４０の入射面に集光される。ＵＶフィルタ２０では紫外線が除去される。
【００２９】
カラーホイールユニット３０は、カラーホイール３１が光源ランプ１０から出射された白色光の集光点付近に位置するように配されている。カラーホイールユニット３０は、たとえば、図示しない保持部にはめ込み固定される等、ユーザ自身が交換できるように着脱容易に配されている。
【００３０】
カラーホイールユニット３０は、カラーホイール３１と、モータ３２と、位置センサ３３とを備えている。カラーホイール３１は、図１（ｂ）に示すように、リング形状を有し、赤、緑、青および白の各セグメント３１Ｒ、３１Ｇ、３１Ｂ、３１Ｗにより構成されている。
【００３１】
赤セグメント３１Ｒは、赤色波長帯の光（以下、「Ｒ光」という）のみを透過する光学特性を有する。緑セグメント３１Ｇは、緑色波長帯の光（以下、「Ｇ光」という）のみを透過する光学特性を有する。青セグメント３１Ｂは、青色波長帯の光（以下、「Ｂ光」という）のみを透過する光学特性を有する。白セグメント３１Ｗは、可視光をそのまま透過する光学特性を有する。即ち、白セグメント３１Ｗは、透明な領域であり、白色光（以下「Ｗ光」という）がそのまま透過する。
【００３２】
カラーホイール３１中央の開口部には、モータ３２により回転される回転板３２ａが固定されている。これにより、モータ３２が駆動されると、カラーホイール３１が回転する。
【００３３】
位置センサ３３は、カラーホイール３１の回転状態の検出を行うためのものである。カラーホイール３１には、マーカー３１ａが配されており、マーカー３１ａの回転軌道上の予め決められた位置に位置センサ３３が配されている。カラーホイール３１が１回転する度に、位置センサ３３によってマーカー３１ａが検出され、検出信号（位置検出信号）が出力される。たとえば、位置センサ３３は、発光素子および受光素子で構成され、マーカー３１ａは反射部材で構成される。この場合、発光素子から出てマーカー３１ａにより反射された光を受光素子で受光することにより、マーカー３１ａを検出することができる。
【００３４】
こうして、カラーホイール３１が回転すると、各セグメント３１Ｒ、３１Ｇ、３１Ｂ、３１Ｗに光が順次入射され、各セグメント３１Ｒ、３１Ｇ、３１Ｂ、３１Ｗを透過したＲ光、Ｇ光、Ｂ光およびＷ光が、カラーホイール３１から時分割で出射される。
【００３５】
カラーホイール３１を透過した光は、ロッドインテグレータ４０に入射される。ロッドインテグレータ４０は、略直角に屈曲した形状を有する。ロッドインテグレータ４０に入射された光は、反射面４０ａで反射されて略垂直に向きを変え、ロッド内で照度が均一化されながら、出射面へと向かう。
【００３６】
ロッドインテグレータ４０から出射された光はリレー光学系５０を構成する３つのリレーレンズ５１、５２、５３とミラー５４により導光されて、ＴＩＲプリズム６０に入射される。そして、ＴＩＲプリズム６０で反射されてＤＭＤ７０に照射される。
【００３７】
ＤＭＤ７０には、時分割でＲ光、Ｇ光、Ｂ光およびＷ光が順次照射される。ＤＭＤ７０は、マトリクス状に配されたマイクロミラーを備え、入射されたＲ光、Ｇ光、Ｂ光およびＷ光に応じた駆動信号に基づいてマイクロミラーがオン・オフ駆動され、これら光を変調する。１つのマイクロミラーは、１つの画素を構成する。ＤＭＤ７０で変調された光は、ＴＩＲプリズム６０を透過して投写光学系８０に入射され、投写光学系８０によってスクリーン上に投写される。
【００３８】
カラーホイールユニット３０による光の切り替えは非常に高速で行われるため、スクリーン上に順次投写された光による映像が、ユーザの目には一つの映像として映る。
【００３９】
運転時、カラーホイールユニット３０は冷却装置９０によって冷却される。冷却装置９０は、冷却ファン９１を備えており、冷却ファン９１の駆動によって生起された冷却風が、カラーホイールユニット３０の近傍に配された吹出口９２からカラーホイールユニット３０に吹きつけられる。
【００４０】
図２は、本実施の形態に係るプロジェクタの回路系の構成を示す図である。
【００４１】
入力切替回路１０１は、複数の入力端子部の中から接続する入力端子部を切り替える回路である。入力切替回路１０１によって接続された入力端子部から映像信号が入力される。入力された映像信号は、Ａ／Ｄコンバータ１０２によってデジタル信号に変換され、走査変換回路１０３に入力される。
【００４２】
走査変換回路１０３は、予め設定された画面サイズ（たとえば、１６：９の画面サイズ）と異なる画面サイズ（たとえば、４：３の画面サイズ）の映像信号が入力された場合に、入力された映像信号を、設定された画面サイズの映像信号となるように変換する。走査変換回路１０３から出力された映像信号は、映像信号処理回路１０４に入力される。
【００４３】
映像信号処理回路１０４は、走査変換回路１０３から供給される映像信号に基づいて、各カラーホイールユニット３０とＤＭＤ７０を制御する。
【００４４】
カラーホイールモータ駆動回路（以下、「モータ駆動回路」という）１０５は、映像信号処理回路１０４からの制御信号に基づいてカラーホイールユニット３０を駆動する。モータ駆動回路１０５は、カラーホイールユニット３０中のモータ３２が、３６０度（１回転）を等分した所定の角度だけ回転する毎に、パルス信号（回転速度検出信号）を映像信号処理回路１０４に出力する。たとえば、モータ駆動回路１０５には、モータ３２が一定の回転角度だけ回転したことを検出する回転センサが配されており、当該回転センサからの検出信号が回転速度信号として映像信号処理回路１０４に供給される。
【００４５】
映像信号処理回路１０４は、モータ駆動回路１０５から供給される回転速度信号とカラーホイール３０から供給される位置検出信号とに基づいて、モータ３２に対するモータ制御信号（モータ３２の印加電圧を制御するための信号）を生成し、生成したモータ制御信号をモータ駆動回路１０５へ出力する。モータ駆動回路１０５は、モータ制御信号に従ってモータ３２を駆動する。ここで、回転制御の方法として、たとえばＰＷＭ制御が行われる。すなわち、運転時に設定されたモータ３２の回転速度に応じてモータ３２への印加電流量が調整され、これにより、モータ３２の回転速度が所望の回転速度に保たれる。
【００４６】
運転時、映像信号処理回路１０４は、カラーホイール３１の回転が、走査変換回路１０３から供給される映像信号中の垂直同期信号に同期するよう、位置センサ３３からの位置検出信号とモータ駆動回路１０５からの回転速度信号とに基づいて各モータ３２を所定の回転速度にて駆動する。
【００４７】
また、映像信号処理回路１０４は、ＤＭＤ７０の各画素（マイクロミラー）が、入力された映像信号に基づいて、ＤＭＤ７０に入射されるＲ光、Ｇ光、Ｂ光およびＷ光に応じた変調動作を行うためのＤＭＤ制御信号を生成し、ＤＭＤ駆動回路１０６へ出力する。ＤＭＤ駆動回路１０６は、ＤＭＤ制御信号に従ってＤＭＤ７０を駆動する。
【００４８】
映像信号処理回路１０４は、走査変換回路１０３から供給される映像信号中の垂直同期信号に同期するよう、ＤＭＤ７０を駆動する。上記の如く、運転時には、カラーホイール３１の回転と垂直同期信号とが同期しているため、ＤＭＤ７０は、垂直同期信号とともに各カラーホイール３１の回転にも同期するよう駆動される。
【００４９】
操作入力回路１０７は、各種操作ボタンからの入力を受け付けて、それに応じた入力信号をＣＰＵ１０８に出力する。
【００５０】
ＣＰＵ１０８は、各種の入力に基づいて、冷却ファン駆動回路１０９、ランプ駆動回路１１０、ＬＥＤ駆動回路１１１に制御信号を出力する。冷却ファン駆動回路１０９は、ＣＰＵ１０８からの制御信号に従って冷却装置９０内の冷却ファン９１を駆動する。ランプ駆動回路１１０は、ＣＰＵ１０８からの制御信号に従って光源ランプ１０を駆動する。ＬＥＤ駆動回路１１１は、ＣＰＵ１０８からの制御信号に従って電源ＬＥＤ１１２を駆動する。
【００５１】
また、ＣＰＵ１０８は、電源回路１１３の起動・停止を制御する。電源回路１１３が起動することにより、カラーホイールユニット３０、ＤＭＤ７０、冷却ファン９１、光源ランプ１０、電源ＬＥＤ１１２等への電力供給が可能となる。
【００５２】
図３は、カラーホイールユニット３０とＤＭＤ７０の駆動タイミングを示す図である。図３では、位置検出信号に重ねて、カラーホイール３１からのＲ光、Ｇ光、Ｂ光およびＷ光の出射タイミングを示している。
【００５３】
図３に示すように、カラーホイール３１は、映像信号に基づく垂直同期信号に同期して回転する。たとえば、カラーホイール３１は、垂直同期信号の１周期の間に２回転する。カラーホイール３１が図１（ｂ）に示すものである場合、カラーホイール３１からは、一定間隔で、Ｒ光、Ｇ光、Ｂ光、Ｗ光が出射される。このとき、ＤＭＤ７０には、垂直同期信号およびカラーホイール３１の回転に同期して、各色光に対応するＤＭＤ駆動信号がＤＭＤ駆動回路１０６から送出される。これによって、所定の光（たとえば、Ｒ光）がＤＭＤ７０に照射されているタイミングにおいて、その光（たとえば、Ｒ光）に対応するＤＭＤ７０の変調動作が行われる。
【００５４】
こうして、ＤＭＤ７０によって変調されたＲ光、Ｇ光、Ｂ光およびＷ光による映像が、順次、投写光学系８０によって投写され、スクリーン上には、カラー映像が映し出される。なお、スクリーンには、垂直同期信号の１周期の間に、１フレーム分の映像が２度繰り返して投写されることとなる。即ち、各色の光による映像の切り替わりがより短時間で行われることとなるので、合成された映像のちらつきが防止される。
【００５５】
本実施の形態では、白のセグメントを有するカラーホイール３１を用いることにより、映像全体の輝度を高めることができる。しかし、これに伴い、上述したようなノイズが発生する惧れがある。
【００５６】
そこで、本実施の形態では、このようなノイズを抑制すべく、映像信号処理回路１０４において、入力された映像信号が１フレーム毎に解析され、１フレームにおける映像の彩度に基づいて、ＤＭＤ７０の各画素のうち白成分を表示する画素（以下、「白成分の画素」という）における輝度を低減するための信号処理が実行される。以下、具体的な処理動作について説明する。
【００５７】
図４は、映像信号処理回路１０４による信号処理のフローチャートである。また、図５は、図４の信号処理に用いられる閾値α、βについて説明するための図である。図５に示された円は、色空間の断面を示している。
【００５８】
まず、映像信号処理回路１０４は、入力されたＲＧＢ信号を用いて各画素の彩度を算出する（Ｓ１）。このとき、映像信号が色差信号として入力されれば、まず、色差信号をＲＧＢ信号に変換する。映像信号処理回路１０４は、各画素に対するＲ、Ｇ、Ｂの３つの信号の中から最大値と最小値を抽出し、次式より、当該画素の彩度を算出する。なお、ここでは、ＲＧＢ信号を８ビット（０〜２５５）の信号としている。
彩度＝（最大値−最小値）／最大値×２５５  …（１）
【００５９】
次に、映像信号処理回路１０４は、各画素の彩度を用いて、１フレーム全体の映像における平均彩度（全画素の彩度の合計値÷全画素数）を算出する（Ｓ２）。そして、平均彩度が閾値αを超えているか否かを判定する（Ｓ３）。
【００６０】
図５（ａ）に示すように、色空間では、円の中心から外周へ向かうほど、彩度が高くなり色が濃くなる。本実施の形態では、上記平均彩度が閾値αより大きい場合には、色が濃く鮮やかな映像であると判断し、平均彩度が閾値αより小さい場合には、色が薄く無彩色に近い映像であると判断する。
【００６１】
映像信号処理回路１０４は、平均彩度が閾値α（図６の例では１５０に設定）を超えていると判定すると（Ｓ３：ＹＥＳ）、白成分の画素のＲＧＢ信号のゲインを減算する（Ｓ４）。
【００６２】
即ち、映像信号処理回路１０４は、各画素の彩度を閾値βと比較することにより、その画素が、白成分の画素であるか否かを判定する。図５（ｂ）に示すように、色空間では、円の中心が白色となるため、白成分に相当する範囲の境界に閾値βが設定される。
【００６３】
映像信号処理回路１０４は、彩度が閾値β（図６の例では４０に設定）より小さければ、その画素が白成分の画素であると判定する。そして、この判定により検出した全ての白成分の画素に対するＲＧＢ信号に１より小さな値の係数ａ（図６の例では０．７に設定）を乗算する。
【００６４】
こうして、１フレーム中の全ての白成分の画素に対するＲＧＢ信号のゲインが低減される。これによって、１フレームの映像における白成分の画素における輝度が低下する。
【００６５】
映像信号処理回路１０４は、ＲＧＢ信号の補正が完了すると、補正後のＲＧＢ信号に基づいて、Ｒ光、Ｇ光、Ｂ光およびＷ光に対応するＤＭＤ制御信号を生成し、ＤＭＤ駆動回路へ出力する（Ｓ５）。
【００６６】
一方、映像信号処理回路１０４は、ステップＳ３で平均彩度が閾値α以下であると判定すると（Ｓ３：ＮＯ）、ＲＧＢ信号の補正を行うことなく、各色光に対応するＤＭＤ制御信号を生成し、ＤＭＤ駆動回路１０６へ出力する（Ｓ５）。
【００６７】
なお、閾値αの最適な値は、各セグメント３１Ｒ、３１Ｇ、３１Ｂ、３１Ｗの回転方向の角度（領域の広さ）やフィルタ特性により異なってくる。また、係数ａの最適な値も、白セグメント３１Ｗの角度によって異なってくる。白セグメント３１Ｗの角度が大きくなるほど、図９（ａ）に示されている白成分の輝度が高くなる。このため、白セグメント３１Ｗの角度が大きくなるほど、白成分の減衰量が多くなるよう係数ａが小さくされる。実際には、閾値α、βおよび係数ａは、実験等で実映像を確認しながらノイズが良好に抑制されるような値に調整される。
【００６８】
また、上記のように平均彩度を求めて閾値αと比較するのではなく、全画素の彩度の合計値を求めて、求めた合計値を所定の閾値と比較するようにしてもよい。この場合、閾値αに全画素数を乗算した値が、合計値に対応する閾値となる。
【００６９】
図６は、図４の信号処理における処理内容を具体的に説明するための図である。
【００７０】
図６には１フレームにおける一部の画素が示されている。図６（ａ）には、１画素毎に、当該画素が表示する色に応じたＲ、Ｇ、Ｂの各信号が表されている。まず、これらＲＧＢ信号を用いて、上記式（１）をもとに、各画素の彩度が算出される。図６（ｂ）には、画素毎に算出された彩度が示されている。
【００７１】
次に、全画素の彩度の平均値（平均彩度）が求められ、これが閾値α（たとえば、１５０）を超えていれば、１フレーム全体が平均的に色の濃い映像であると判断される。この場合、各画素の彩度が閾値β（たとえば、４０）と比較されることにより、１フレームにおける白成分の画素が判別される。図６（ｃ）には、白成分の画素が他の画素と異なる表示形態で示されている。
【００７２】
次に、白成分の画素のＲＧＢ信号に係数α（たとえば、０．７）が乗算される。図６（ｄ）には、白成分の画素のＲＧＢ信号が補正された状態が示されている。
【００７３】
なお、平均彩度が閾値α以下であり、１フレーム全体が平均的に色の薄い映像であると判断されれば、図６（ｅ）に示すように、ＲＧＢ信号の補正は行われない。
【００７４】
このように、本実施の形態によれば、映像信号に基づいて映像の彩度を判定し、彩度の高い映像については、白成分の画素に対するＲＧＢ信号を減衰させるようにしている。よって、彩度の高い映像が投写される場合には、白成分の画素の輝度が低減されるので、セグメント３１Ｗを光源ランプ１０からの白色光が透過することにより生じるノイズを抑制することができる。
【００７５】
また、本実施の形態によれば、１フレーム毎に映像の彩度が判定されて映像信号の調整が行われるため、ノイズを良好に抑制することができる。
【００７６】
＜変更例１＞
図７は、変更例１に係る映像信号処理回路１０４による信号処理のフローチャートである。
【００７７】
上記実施の形態では、平均彩度が閾値α以下であると判定した場合は、映像信号の補正が行われない。
【００７８】
しかしながら、図７（ａ）に示す処理のように、映像信号処理回路１０４が、平均彩度が閾値α以下であると判定した場合（Ｓ３：ＹＥＳ）、白成分の画素に対するＲＧＢ信号のゲインを加算する（Ｓ６）、という構成とすることもできる。この場合、全ての白成分の画素に対するＲＧＢ信号に、１より大きな値の係数ｂ（たとえば、１．３）が乗算される。このとき、乗算後の値が上限値（２５５）を超える場合には、上限値となる。
【００７９】
このような構成とすれば、彩度が低いためノイズが目立たない映像について、輝度を高めることができる。
【００８０】
なお、閾値αに近い彩度の映像において、白成分の画素に対するＲＧＢ信号のゲインを加算すると、ノイズが目立ちやすくなる可能性がある。
【００８１】
そこで、図７（ｂ）に示す処理のように、映像信号処理回路１０４が、平均彩度が閾値γ（＜閾値α）以下であると判定した場合に（Ｓ７：ＮＯ）、白成分の画素に対するＲＧＢ信号のゲインを加算し（Ｓ８）、平均彩度が閾値α以下且つ閾値γより大きければ（Ｓ７：ＹＥＳ）、ＲＧＢ信号の補正を行わない、という構成とすることもできる。
【００８２】
このようにすれば、白成分の画素に対するＲＧＢ信号のゲインを加算することにより映像にノイズが現れるのを防止することができる。
【００８３】
＜変更例２＞
上記実施の形態では、平均彩度に基づいて、１フレーム全体の映像の彩度が判定されたが、他の方法を用いて１フレーム全体の映像の彩度を判定しても良い。
【００８４】
図８（ａ）は、変更例２に係る映像信号処理回路１０４による信号処理のフローチャートである。本変更例では、図４のステップＳ２、Ｓ３がステップＳ１１、Ｓ１２に置き換えられている。その他のステップは、図４と同じである。
【００８５】
本変更例では、彩度が一定基準、すなわち、所定の閾値を超える画素の総面積が算出され（Ｓ１１）、算出された総面積が所定の閾値Ｘを超える場合に（Ｓ１２：ＹＥＳ）、白成分の画素に対するＲＧＢ信号のゲインが減算される（Ｓ４）。
【００８６】
また、彩度が一定基準を超える画素の総面積ではなく、当該画素の個数に基づいて、１フレーム全体の映像の彩度を判定してもよい。図８（ｂ）は、この場合のフローチャートを示す図である。図８（ｂ）では、彩度が一定基準、すなわち、所定の閾値を超える画素の総数がカウントされ（Ｓ２１）、カウントされた当該画素の総数が所定の閾値Ｙを超える場合に（Ｓ２２：ＹＥＳ）、白成分の画素に対するＲＧＢ信号のゲインが減算される（Ｓ４）。
【００８７】
さらに、図８（ａ）、（ｂ）における処理を変更例１の構成に適用してもよい。この場合、図７（ａ）、（ｂ）のステップＳ２、Ｓ３が、図８（ａ）のステップＳ１１、Ｓ１２または図８（ｂ）のステップＳ２１、Ｓ２２に置き換えられる。
【００８８】
＜その他＞
本発明の実施形態は、上記以外にさらに種々の変更が可能である。
【００８９】
たとえば、上記実施の形態では、白成分の画素に対するＲＧＢ信号の減衰量（係数ａ）を一定としたが、減衰量を１フレーム全体の映像の彩度（上記実施の形態における“平均彩度”や、変更例２における“一定基準を超える画素の総面積や個数”）に応じて段階的にあるいは連続的に変えるようにしてもよい。この場合、１フレーム全体の映像の彩度が高くなるほど、減衰量は大きくされる。
【００９０】
同様に、変更例１において、白成分の画素に対するＲＧＢ信号の増幅量（係数ｂ）を彩度に応じて段階的あるいは連続的に変えるようにしてもよい。この場合、１フレーム全体の映像の彩度が低くなるほど、増幅量は大きくされる。
【００９１】
また、本実施の形態では、赤、緑、青および白のセグメントを有するカラーホイール３０が用いられている。しかしながら、これに限られず、たとえば、上記４色に、さらに、黄、シアン、マゼンダ等のセグメントが付加されたカラーホイールが用いられてもよい。要は、有彩色のセグメントだけでなく、白のセグメントが含まれたカラーホイールが用いられればよい。
【００９２】
さらに、上記実施の形態では、表示素子としてＤＭＤが用いられているが、これに限らず、たとえば、反射型の液晶パネルが用いられてもよい。
【００９３】
さらに、本発明は、１つのランプおよびカラーホイールを備えるプロジェクタ以外のプロジェクタにも適用することができる。たとえば、２つのカラーホイールユニットが、２つ光源ランプからの各光路中にそれぞれ配される構成のプロジェクタに適用することができる。また、２つのカラーホイールユニットが、光源ランプからの光路中に前後に並ぶように配される構成のプロジェクタに適用することもできる。
【００９４】
この他、特許請求の範囲に示された技術的思想の範囲内において、適宜、種々の変更が可能である。
【符号の説明】
【００９５】
１０    光源ランプ（光源）
３０    カラーホイールユニット
３１    カラーホイール
７０    ＤＭＤ（表示素子）
１０４  信号処理回路（信号処理部）
１０６  ＤＭＤ駆動回路（駆動部）
【図１】
2011095402.tif 000003
【図２】
2011095402.tif 000004
【図３】
2011095402.tif 000005
【図４】
2011095402.tif 000006
【図５】
2011095402.tif 000007
【図６】
2011095402.tif 000008
【図７】
2011095402.tif 000009
【図８】
2011095402.tif 000010
【図９】
2011095402.tif 000011